(57)【要約】      （修正有）【課題】振動が伝わっても緩まないナットを提供する。【解決手段】台形の穴６を設けたナット５と、台形の凸起２に溝３を設けたナット１の二種類のナットを作り、ナット１にボルトのネジ９に設ける。台形の凸起２に、台形の穴６を合わせてナット５をボルトのネジ９にはめて締めると、溝３の幅は狭くなって、凸起２の中の穴はボルトのネジ９をはさみ、ナット５のネジの穴とボルトのネジ９は強くかみ合ってナットの緩みを防止する。【選択図】図８
0003205075.tif 000002
【実用新案登録請求の範囲】
【請求項１】
ネジの穴▲４▼を設けたナット▲１▼の一端に台形の凸起▲２▼を設けて、台形の凸起▲２▼の一端に溝▲３▼を設ける。
もう一つのナットは、台形の穴▲６▼と、ネジの穴▲７▼を、ナット▲５▼の一端に設ける。
以上のように異なるナット▲１▼と、ナット▲５▼を組合わせて使うナット。
【考案の詳細な説明】
【技術分野】
【０００１】  台形の凸起を設けたナットと、台形の穴を設けたナットの二種類のナットを組合わせて締めたナットが緩まないようにしたナットに関するものである。
【背景技術】
【０００２】  従来のナットは、ボルトのネジに平座金とスプリングワッシャを設けたボルトのネジにナットを締めて、ナットの緩みを防止していた。
又、クサビ形のオスとメスを合わせて締めて、ナットが緩まないようにして使うナットも有るが、いずれもナットに振動が伝わると部材を締めたナットは緩む欠点があった。
【考案が解決しようとする課題】
【０００３】  本考案は、その欠点を無くするために、台形の凸起▲２▼を設けたナットに、台形の穴▲６▼を設けたナット▲１▼をはめて、台形の凸起▲２▼にナット▲５▼の台形の穴▲６▼をがぶせて締めると、台形の凸起▲２▼は圧縮されて、溝▲３▼は狭くなって、台形の穴▲６▼の中に入って、内径の穴▲６▼を押して挟み、凸起▲２▼の中に通っているボルトのネジ▲９▼はネジの穴▲４▼に強く挟まれ、ナット▲５▼のネジ▲７▼は、ボルトのネジ▲９▼に強くかみ合い振動が伝わっても緩まないナットを作ることを課題に研究をすすめた。
【課題を解決するための手段】
【０００４】イ、ネジの穴▲４▼を設けたナット▲１▼の一端に、台形の凸起▲２▼を設けて、台形の凸起▲２▼の一端に複数の溝▲３▼を設ける。
ロ、ネジの穴▲７▼を設けたナット▲５▼の一端に、台形の穴▲６▼を設ける。
【考案の実施と形態】
【０００５】  部材▲１０▼にボルトのネジ▲９▼を設けて、ナット▲１▼の平面を部材▲１０▼の方向に向けてネジの穴▲４▼をボルトのネジ▲９▼に入れて締めてナット▲１▼を取り付ける。
台形の凸起▲２▼に、台形の穴▲６▼を合わせてネジの穴▲７▼をボルトのネジ▲９▼に入れてナット▲５▼を締めて、台形の凸起▲２▼に台形の穴▲６▼をかぶせた台形の穴のナット▲５▼を強く締めると、台形の穴▲６▼の中に台形の凸起▲２▼は圧縮されて溝▲３▼の幅を狭めて深く入り、バネの作用をする台形の凸起▲２▼は台形の穴▲６▼の中で反発して台形の穴▲６▼の内径を強く押して圧力をかけ、台形の凸起▲２▼の中のボルトのネジ▲９▼は、ネジの穴▲４▼に強く挟まって固定して動かなくなり、台形の穴▲６▼のナット▲５▼の穴のネジ▲７▼は、ボルトのネジ▲９▼に強くかみ合い、異なるナット同士は強く組み合って抵抗力が強くなり、ナットに振動が伝わっても組み合った異なるナット同士は緩まなくなる。
【考案の効果】
【０００６】  本考案は、以上のような構造だから、ボルトのネジ▲９▼にはめたナット▲５▼を強く締めると、台形の凸起▲２▼は台形の穴▲６▼の中に深く入って弾力性のある強い抵抗力で動かなくなり、台形の凸起▲２▼の中のネジの穴▲４▼に強く挟まったボルトのネジ▲９▼は固定して、ナット▲５▼のネジの穴▲７▼は、ボルトのネジ▲９▼に強くかみ合い、異なるナット同士が複数の場所をロックするために、ナットやボルトのネジに振動が伝わっても異なるナット同士は緩んだり、落下をすることはない。
なお、ナット▲１▼に設けた台形の凸起▲２▼に溝▲３▼を設けた台形の凸起▲２▼はバネになり、ボルトのネジ▲９▼にはまっている台形の凸起▲２▼に台形の穴▲６▼を合わせてボルトのネジ▲９▼にはめたナット▲５▼を締めれば締めるほど台形の凸起▲２▼は、台形の穴▲６▼の中に深く入って強く圧縮され凸起▲２▼は、弾力性のある反発力が強くなり、台形の穴▲６▼の内径を強く押している台形の凸起▲２▼は摩擦抵抗力が強くなり、台形の凸起▲２▼の中のネジの穴▲４▼に入っているボルトのネジ▲９▼は強く挟まって固定する力は強くなり、ボルトのネジ▲９▼にはめたナット▲１▼の穴のネジ▲４▼と、ナット▲５▼の穴のネジ▲７▼の緩むのを防止する。
又、台形の穴▲６▼のナット▲５▼が緩もうとすると、溝▲３▼を設けた台形の凸起▲２▼は、バネの作用で弾力性のある圧力を台形の穴▲６▼の内径にかけ続けるために、ボルトのネジ▲９▼にかみ合っている台形の穴▲６▼のナット▲５▼の穴のネジ▲７▼は緩まなくなってナット▲５▼の落下がなくなる。
【なお、本考案は次のようなことが出来る】
溝▲３▼を設けた台形の凸起▲２▼の先を大きく作って、台形の穴▲６▼に入れたとき凸起▲２▼の先を強くはさむように作る。
【図面の簡単な説明】
【図１】は、平面図
【図２】は、正面図
【図３】は、背面図
【図４】は、平面図
【図５】は、一部透視した正面図
【図６】は、背面図
【図７】は、正面図
【図８】は、正面図
【符号の説明】  １は、凸を設けたナット
２は、台形の凸起
３は、溝
４は、ネジの穴
５は、台形の穴を設けたナット
６は、台形の穴
７は、ネジの穴
８は、ボルト
９は、ボルトのネジ
１０は、部材
【図１】
0003205075.tif 000003
【図２】
0003205075.tif 000004
【図３】
0003205075.tif 000005
【図４】
0003205075.tif 000006
【図５】
0003205075.tif 000007
【図６】
0003205075.tif 000008
【図７】
0003205075.tif 000009
【図８】
0003205075.tif 000010
【手続補正書】
【提出日】平成28年4月4日(2016.4.4)
【手続補正１】
【補正対象書類名】実用新案登録請求の範囲
【補正対象項目名】全文
【補正方法】変更
【補正の内容】
【実用新案登録請求の範囲】
【請求項１】
その一端に台形の凸起（２）を設けて、台形の凸起（２）の一端に溝（３）を設け、さらに、ネジの穴（４）を設けたナット（１）と、その一端に台形の穴（６）と、ネジの穴（７）を設けたナット（５）とを、前記ナット（１）の前記台形の凸起（２）に、前記ナット（５）の前記台形の穴（６）を合わせて締めることで組合わせて使うナット。
【手続補正２】
【補正対象書類名】明細書
【補正対象項目名】全文
【補正方法】変更
【補正の内容】
【考案の詳細な説明】
【技術分野】
【０００１】  台形の凸起を設けたナットと、台形の穴を設けたナットの二種類のナットを組合わせて締めたナットが緩まないようにしたナットに関するものである。
【背景技術】
【０００２】  従来のナットは、ボルトのネジに平座金とスプリングワッシャを設けたボルトのネジにナットを締めて、ナットの緩みを防止していた。
又、クサビ形のオスとメスを合わせて締めて、ナットが緩まないようにして使うナットも有るが、いずれもナットに振動が伝わると部材を締めたナットは緩む欠点があった。
【考案が解決しようとする課題】
【０００３】  本考案は、その欠点を無くするために、台形の凸起（２）を設けたナットと、台形の穴（６）を設けたナット（１）をはめて、台形の凸起（２）にナット（５）の台形の穴（６）をかぶせて締めると、台形の凸起（２）は圧縮されて、溝（３）は狭くなって、台形の穴（６）の中に入って、内径の穴（６）を押して挟み、凸起（２）の中に通っているボルトのネジ（９）はネジの穴（４）に強く挟まれ、ナット（５）のネジ（７）は、ボルトのネジ（９）に強くかみ合い振動が伝わっても緩まないナットを作ることを課題に研究をすすめた。
【課題を解決するための手段】
【０００４】イ、ネジの穴（４）を設けたナット（１）の一端に、台形の凸起（２）を設けて、台形の凸起（２）の一端に複数の溝（３）を設ける。
ロ、ネジの穴（７）を設けたナット（５）の一端に、台形の穴（６）を設ける。
【考案の実施と形態】
【０００５】  部材（１０）にボルトのネジ（９）を設けて、ナット（１）の平面を部材（１０）の方向に向けてネジの穴（４）をボルトのネジ（９）に入れて締めてナット（１）を取り付ける。
台形の凸起（２）に、台形の穴（６）を合わせてネジの穴（７）をボルトのネジ（９）に入れてナット（５）を締めて、台形の凸起（２）に台形の穴（６）をかぶせた台形の穴のナット（５）を強く締めると、台形の穴（６）の中に台形の凸起（２）は圧縮されて溝（３）の幅を狭めて深く入り、バネの作用をする台形の凸起（２）は台形の穴（６）の中で反発して台形の穴（６）の内径を強く押して圧力をかけ、台形の凸起（２）の中のボルトのネジ（９）は、ネジの穴（４）に強く挟まって固定して動かなくなり、台形の穴（６）のナット（５）の穴のネジ（７）は、ボルトのネジ（９）に強くかみ合い、異なるナット同士は強く組み合って抵抗力が強くなり、ナットに振動が伝わっても組み合った異なるナット同士は緩まなくなる。
【考案の効果】
【０００６】  本考案は、以上のような構造だから、ボルトのネジ（９）にはめたナット（５）を強く締めると、台形の凸起（２）は台形の穴（６）の中に深く入って弾力性のある強い抵抗力で動かなくなり、台形の凸起（２）の中のネジの穴（４）に強く挟まったボルトのネジ（９）は固定して、ナット（５）のネジの穴（７）は、ボルトのネジ（９）に強くかみ合い、異なるナット同士が複数の場所をロックするために、ナットやボルトのネジに振動が伝わっても異なるナット同士は緩んだり、落下をすることはない。
なお、ナット（１）に設けた台形の凸起（２）に溝（３）を設けた台形の凸起（２）はバネになり、ボルトのネジ（９）にはまっている台形の凸起（２）に台形の穴（６）を合わせてボルトのネジ（９）にはめたナット（５）を締めれば締めるほど台形の凸起（２）は、台形の穴（６）の中に深く入って強く圧縮され凸起（２）は、弾力性のある反発力が強くなり、台形の穴（６）の内径を強く押している台形の凸起（２）は摩擦抵抗力が強くなり、台形の凸起（２）の中のネジの穴（４）に入っているボルトのネジ（９）は強く挟まって固定する力は強くなり、ボルトのネジ（９）にはめたナット（１）の穴のネジ（４）と、ナット（５）の穴のネジ（７）の緩むのを防止する。
又、台形の穴（６）のナット（５）が緩もうとすると、溝（３）を設けた台形の凸起（２）は、バネの作用で弾力性のある圧力を台形の穴（６）の内径にかけ続けるために、ボルトのネジ（９）にかみ合っている台形の穴（６）のナット（５）の穴のネジ（７）は緩まなくなってナット（５）の落下がなくなる。
【なお、本考案は次のようなことが出来る】
溝（３）を設けた台形の凸起（２）の先を大きく作って、台形の穴（６）に入れたとき凸起（２）の先を強くはさむように作る。
【図面の簡単な説明】
【０００７】
【図１】は、平面図
【図２】は、正面図
【図３】は、背面図
【図４】は、平面図
【図５】は、一部透視した正面図
【図６】は、背面図
【図７】は、正面図
【図８】は、正面図
【符号の説明】
【０００８】  １は、凸を設けたナット
２は、台形の凸起
３は、溝
４は、ネジの穴
５は、台形の穴を設けたナット
６は、台形の穴
７は、ネジの穴
８は、ボルト
９は、ボルトのネジ
１０は、部材